(57)【特許請求の範囲】
【請求項１】
皿板と下枠間に介在されると共に、躯体の開口部に固定されない皿板アンカーであって、
前記皿板アンカーは、本体に前記皿板を取付ける皿板取付部と、前記下枠に取付けられる下枠取付部を備え、
前記下枠取付部は、室内側から前記下枠に固定される固定金具を備えており、
前記固定金具は、鉛直方向における前記本体の前記下枠からの位置を調整可能に構成されていることを特徴とする皿板アンカー。
【請求項２】
前記固定金具は、前記下枠に差込まれる差込片を備えていることを特徴とする請求項１に記載の皿板アンカー。
【請求項３】
前記本体は、前記皿板取付部を備える前方金具と、前記下枠取付部を備える後方金具からなり、前記前方金具と前記後方金具との固定位置が調整可能に構成されていることを特徴とする請求項１又は２に記載の皿板アンカー。
【請求項４】
請求項１〜３の何れかに記載の皿板アンカーと、
前記下枠を躯体に固定する、躯体に固定されるランナーレールと、このランナーレールに固定されるアンカー用固定金具と、このアンカー用固定金具に固定されるアンカーと、を備えるアンカー装置。
【請求項５】
皿板と下枠間に介在させると共に、躯体の開口部に固定されない皿板アンカーを用いて、前記皿板を躯体に無溶接で取付ける前記皿板の固定構造であって、
前記皿板アンカーの本体に設けられた皿板取付部により前記皿板が取付けられ、
前記皿板アンカーの本体に設けられた下枠取付部の固定金具が、室内側から固定されて、前記皿板アンカーが前記下枠に固定され、
前記固定金具は、鉛直方向における前記本体の前記下枠からの位置を調整可能に構成されていることを特徴とする皿板の固定構造。
【請求項６】
皿板と下枠間に介在させる皿板アンカーを用いて、前記皿板を躯体に無溶接で取付ける前記皿板の固定構造であって、
前記皿板アンカーの本体に設けられた皿板取付部により前記皿板が取付けられ、
前記皿板アンカーの本体に設けられた下枠取付部の固定金具が、室内側から固定されて、前記皿板アンカーが前記下枠に固定されており、
前記下枠は、前記躯体に固定されるランナーレールと、このランナーレールに固定されるアンカー用固定金具と、このアンカー用固定金具に固定されるアンカーを介して固定され、
前記アンカー用固定金具は、一対の対称物からなり、それぞれ、前記ランナーレールにスライドされるスライド部と、引寄手段によって引き寄せられる引寄部と、その引寄部が引き寄せられるときに前記アンカーを締付ける締付部及び前記ランナーレールに向けて前記スライド部を突張らせる突張部を備えていることを特徴とする皿板の固定構造。
【発明の詳細な説明】
【技術分野】
【０００１】
本願発明は、皿板を無溶接で躯体に固定することができる皿板アンカー及びその皿板アンカーにより構築される皿板の躯体に対する固定構造に関する。
【背景技術】
【０００２】
サッシ枠等の建材をコンクリート造の躯体に固定する場合の従来技術は、溶接工法が主流である。
溶接工法は、特許文献１のように、アンカー３に立上り片３Ｃを設け、一方、躯体側に棒鋼４を埋込み、この棒鋼４と立上り片３Ｃとを溶接接続するものである。
同様の溶接工法として、特許文献２に係るサッシ位置決め装置は、サッシの上下辺、左右辺の各辺にそれぞれ複数個ずつ着脱可能に配置されかつサッシを溶接によりサッシ取付用開口部２の周縁に取付ける際にサッシ溶接のための金具として用いられるアンカー４が開示されている。
【０００３】
特許文献３では、サッシ枠の下枠のみならずその下枠の室外側に取り付けられる皿板が、アンカを介して躯体に溶接固定されることが記載されている。
即ち、特許文献３の第２図では、水切り板（皿板）５がアンカ７を介して、躯体に溶接固定されていることが図示されている。
考案の詳細な説明欄第２頁には、「水切り板５は・・・下枠６の室外側に延設されている・・・・躯体Ｃに固定されたアンカ７が挟持されて、水切り板５は躯体Ｃに外装材８を介して固定されている」旨が記載されている。
【先行技術文献】
【特許文献】
【０００４】
【特許文献１】実開昭５６−７４１７６号公報
【特許文献２】特開平９−８８４３１号公報
【特許文献３】実開昭５８−１９５７７２号公報
【発明の概要】
【発明が解決しようとする課題】
【０００５】
上記溶接工法の問題点を指摘すれば、次のようである。
（１）  溶接工法の作業は、所謂熟練工によらなければ、その作業が難しいとされており、熟練工の不足等で欠員が生じる場合には施工が困難である、
（２）  火花が出るため、サッシ枠を傷つけたり、完成品として出荷されるサッシ枠に既にセットされているガラスが破損する危険性がある、
（３）  事前に溶接機器の準備、電源の確保、消化器の準備が必要となり、作業中においても火花の養生が必要となり、躯体に建材を固定する場合の効率化が課題である、
（４）  施工場所によっては、作業員の感電防止のため、雨天での作業の見合わせ等が必要となり、環境に左右される、
（５）  火花や煙が作業員に与える悪影響が問題となり、かかる配慮は周囲の環境にも必要であり、また、電力を使うため省エネ、ＣＯ２の削減等の環境問題を考慮する必要がある、
（６）  溶接後の検査により、火花によるサッシの汚れが判明した場合に、溶接焼け補修費の負担が生じるおれそがある。
【０００６】
前記皿板に対する溶接工法の課題は、上記（１）〜（６）の課題と共通すると共に、サッシ枠に固定された皿板に対する躯体への溶接固定を行う場合には、サッシ枠の室外側での作業となり、その作業がより困難となる。
【０００７】
そこで、出願人は、皿板を躯体に無溶接で取り付けることができる皿板アンカー及びそのアンカーにより構築される固定構造を提供することにより、皿板に関する溶接工法の問題点を解決すると共に、皿板の固定作業の容易性を図ることを目的とする。
また、建材を躯体に無溶接で取り付けることができるアンカー装置、その装置により構築される固定構造を提供することにより、上記溶接工法の問題点を解決することを目的とする。
【課題を解決するための手段】
【０００８】
上記課題を解決するため、本願発明は、皿板と下枠間に介在されると共に、躯体の開口部に固定されない皿板アンカーであって、前記皿板アンカーは、本体に前記皿板を取付ける皿板取付部と、前記下枠に取付けられる下枠取付部を備え、前記下枠取付部は、室内側から前記下枠に固定される固定金具を備えており、前記固定金具は、鉛直方向における前記本体の前記下枠からの位置を調整可能に構成されていることを特徴とする皿板アンカーとした（請求項１に記載の発明）。
【０００９】
前記固定金具は、前記下枠に差込まれる差込片を備えていることを特徴とする皿板アンカーとした（請求項２に記載の発明）。
【００１０】
前記本体は、前記皿板取付部を備える前方金具と、前記下枠取付部を備える後方金具からなり、前記前方金具と前記後方金具との固定位置が調整可能に構成されていることを特徴とする皿板アンカーとした（請求項３に記載の発明）。
【００１１】
請求項１〜３の何れかに記載の皿板アンカーと、前記下枠を躯体に固定する、躯体に固定されるランナーレールと、このランナーレールに固定されるアンカー用固定金具と、このアンカー用固定金具に固定されるアンカーと、を備えるアンカー装置とした（請求項４に記載の発明）。
【００１２】
皿板と下枠間に介在させると共に、躯体の開口部に固定されない皿板アンカーを用いて、前記皿板を躯体に無溶接で取付ける前記皿板の固定構造であって、前記皿板アンカーの本体に設けられた皿板取付部により前記皿板が取付けられ、前記皿板アンカーの本体に設けられた下枠取付部の固定金具が、室内側から固定されて、前記皿板アンカーが前記下枠に固定され、前記固定金具は、鉛直方向における前記本体の前記下枠からの位置を調整可能に構成されていることを特徴とする皿板の固定構造とした。（請求項５に記載の発明）。
【００１３】
皿板と下枠間に介在させる皿板アンカーを用いて、前記皿板を躯体に無溶接で取付ける前記皿板の固定構造であって、
前記皿板アンカーの本体に設けられた皿板取付部により前記皿板が取付けられ、
前記皿板アンカーの本体に設けられた下枠取付部の固定金具が、室内側から固定されて、前記皿板アンカーが前記下枠に固定されており、
前記下枠は、前記躯体に固定されるランナーレールと、このランナーレールに固定されるアンカー用固定金具と、このアンカー用固定金具に固定されるアンカーを介して固定され、
前記アンカー用固定金具は、一対の対称物からなり、それぞれ、前記ランナーレールにスライドされるスライド部と、引寄手段によって引き寄せられる引寄部と、その引寄部が引き寄せられるときに前記アンカーを締付ける締付部及び前記ランナーレールに向けて前記スライド部を突張らせる突張部を備えていることを特徴とする皿板の固定構造とした（請求項６に記載の発明）。
【発明の効果】
【００１４】
本願発明によれば、室内側から前記皿板アンカーを下枠に固定することができるから、前記皿板の固定作業の容易性を図ることができる。
また、前記皿板を躯体に無溶接で取付けることができるので、熟練を要することなく、皿板を躯体に固定でき、建設業の熟練工等の労働力不足を改善させることができる、環境に左右されずに、環境に適合させることができ、溶接焼け補償費の低減を図ることができる等、溶接固定による課題を解消させることができる。
【図面の簡単な説明】
【００１５】
【図１】本発明に係るアンカー装置を用いて構成される、建材の躯体に対する固定構造の断面図、
【図２】同装置を構成するランナーレールの正面図（Ａ）及び平面図（Ｂ）、
【図３】同装置を構成するアンカー用固定金具の斜視図、
【図４】同正面図（Ａ）及び側面図（Ｂ）、
【図５】同装置を構成するアンカーの平面図（Ａ）及び正面図（Ｂ）、
【図６】下枠と皿板を躯体に固定する場合のアンカー装置を用いた、建材の躯体に対する固定構造の断面図、
【図７】同側面図、
【図８】本発明に係るアンカー装置を用いて建材を躯体に固定する固定方法における手順の詳細説明図、
【図９】同装置を用いて躯体に固定された建材の固定構造の要部詳細説明図である。
【図１０】下枠と皿板を皿板アンカーを用いて躯体に固定する場合の固定構造の断面図、
【図１１】同皿板アンカーの底面図、
【図１２】（Ａ）同皿板アンカーを構成する固定金具（以下、ブラケットとも称する）の正面図及び（Ｂ）同左側面図、
【図１３】下枠と皿板を皿板アンカーを用いて躯体に固定する場合の固定構造であって、下枠の見付寸法が大きい場合の固定構造の断面図、
【図１４】（Ａ）皿板アンカーを構成する前方金具の正面図、（Ｂ）同底面図、
【図１５】（Ａ）皿板アンカーを構成する後方金具の正面図、（Ｂ）同底面図、（Ｃ）同右側面、
【図１６】（Ａ）出幅にバリエーションがある各種皿板と、それらに対応する皿板アンカーを用いた場合の固定構造の断面図、（Ｂ）及び（Ｃ）同皿板アンカーの正面図である。
【発明を実施するための形態】
【００１６】
本願発明に係るアンカー装置１は、図１のようにコンクリート造の躯体１０に固定されるランナーレール２と、このランナーレール２に固定されるアンカー用固定金具３と、このアンカー用固定金具３に固定されるアンカー４から構成され、前記アンカー４が無溶接にて躯体に固定されている構造となっている。
図１において、前記アンカー４が取り付けられている建材としてのサッシ枠は、上枠５であり、左右たて枠（図示せず）用のアンカー装置１も略同様のものとなっており、以下においては、このアンカー装置１の構成例を説明する。
なお、下枠６を固定する場合のアンカー装置１Ａは、後述の図６及び図７に示されている。
【００１７】
前記ランナーレール（以下、単にレールとも称する）２は、図２に図示されているように、断面形状が略Ｃ字状に形成されているピース材状のもので、サッシ枠の上枠５及び左右たて枠用に、少なくとも１本が躯体１０に固定される。
前記レール２は、その自由端２０、２０を介してアンカー用固定金具３をスライドさせたり、固定できるようになっている。
このピース材状のレール２は、サッシ枠の上枠５及び左右たて枠に対して、所定の角度で斜めに固定されるもので、そのレール２にアンカー用固定金具３を介してサッシ枠を固定する際に、サッシ枠の出入り方向（室内外方向）の位置が調整可能にされている。
なお、躯体１０の開口部１０Ａによって室内外が画されることとして、本書において、開口部１０Ａの躯体１０の外側を「室外側」と称し、開口部１０Ａの躯体１０の内側を「室内側」と称する（図６及び図１０参照）。
【００１８】
前記アンカー用固定金具３は、図３及び図４に図示されているように、一対の対称物の金具片からなる本体３０と、これらを連結する連結部としてのバネ３１と、一対の金具片を引寄せる引寄手段であるネジ３２を備えている。
【００１９】
前記本体３０は、前記バネ３１の先端３１０を取り付ける取付部３００、３００と、ネジ３２により引き寄せられる引寄部３０１、３０１と、これらの引寄部３０１、３０１が引寄せられるときに、前記アンカー４の角部４１（図５等参照）の外周を締付ける締付部３０２、３０２と、前記ランナー２の自由端２０、２０をスライドし、同自由端２０、２０に係止される前スライド部３０３、３０３及び後スライド部３０４、３０４と、前記引寄部３０１、３０１が引き寄せられるときに、前記前スライド部３０３、３０３を前記自由端２０、２０に突っ張らせる突張部３０５、３０５を備えている。
【００２０】
前記取付部３００、３００は、前記引寄部３０１、３０１及び前記突張部３０５、３０５の各自由端部に形成され、前記バネ３１の先端３１０を挿通させる孔からなる。
よって、前記バネ３１の付勢力が前記引寄部３０１、３０１及び前記突張部３０５、３０５を広げるように作用している。
【００２１】
前記引寄部３０１、３０１には、ネジ用の孔３０１Ａ、３０１Ｂが形成され、そのネジ山が切られたタップ孔３０１Ａにネジ３２を旋回させることにより、引き寄せられるようになっている。
【００２２】
前記締付部３０２、３０２は、前記アンカー４の角部４１の外形に合わせて形成されるもので、ここでは半円状に形成され、引寄部３０１、３０１が引き寄せられると略筒状に変化できるようにされている。
【００２３】
前後スライド部３０３、３０３、３０４、３０４は、前記引寄部３０１、３０１及び前記突張部３０５、３０５の各自由端部に形成され、且つ、前記ランナー２の自由端２０、２０をスムースに移動できるように、さらに、前記引寄部３０１、３０１が引寄せられるときに、前スライド部３０３、３０３が前記レール２の自由端２０、２０を噛むことができるような切欠から構成されている。
【００２４】
前記突張部３０５、３０５の間のスペースＳは、バネ３１により前記引寄部３０１、３０１の間のスペースＳと同様に維持されているが、前記引寄部３０１、３０１が引寄せられると、前記前スライド部３０３、３０３を前記レール２の自由端２０、２０に押し当てて、ささえる状態を維持できるように、略ハの字状に変化される（図９参照）。
前記突張部３０５、３０５の自由端部には、アンカー用固定金具３を前記アンカー４の角部４１に挿入させる場合に、その挿入をスムースに行わせるためのラウンド部３０６、３０６が形成されている。
【００２５】
前記バネ３１は一枚の板バネを切り曲げたものであり、４枚のバネ片３１１〜３１４とこれらを結合させる結合部３１５からなり、各バネ片３１１〜３１４は、結合部３１５からＸ字状に延びる片持ばり状に構成される。
バネ片３１１〜３１４の各先端３１０に作用にされる付勢力により、本体３０は、その前スライド部３０３、３０３と後スライド部３０４、３０４との開口幅Ｗ１が等しい状態で、連結されている。この開口幅Ｗ１は、前記レール２の自由端２０、２０の幅Ｗ２（図２参照）に略等しく形成されており、その結果、レール２に対する前記本体３０の固定やスライドを容易にしている。
前記アンカー用固定金具３の一対の金具片を連結する連結部として、前記バネ３１が用いられているが、この構成に限定されることなく、例えば前記引寄部３０１、３０１の各自由端部のみを連結するバネでもよい。
【００２６】
前記アンカー４は、図５のように、サッシ枠に取り付けられるアンカー本体４０と、この本体４０に固定される角部４１からなる。
前記アンカー本体４０は、その中央部に前記角部４１を固定すると共に、サッシ枠のヒレを挟込む爪部４２を備えている。
なお、角部４１の形状は円形に限定されることはなく、例えば四角形や多角形でもよく、ネジのように円形に螺旋部を設けたものでもよい。
【００２７】
図６及び図７のように、下枠６には皿板６０を取り付ける必要から、下枠６を固定する場合のアンカー装置１Ａは、ランナーレール２Ａ及びアンカー４Ａを備えている。
前記ランナーレール２Ａは、躯体１０の傾斜にそった傾斜部２１を備え、且つ、その側面に皿板６０に取り付けられた皿板アンカー６Ａが固定される。
なお、皿板６０を下枠６にネジ止め（図示せず）した状態で、皿板アンカー６Ａをランナーレール２Ａと当接する位置まで、皿板６０の長手方向を移動させることができる。
前記アンカー４Ａは、アンカー本体４０からＬ字状に折り曲げられた折曲部４３が設けられ、ここに角部４１が固定されている。
その他は、前記アンカー装置１と略同様の構成である。
【００２８】
以上の構成による前記アンカー装置１により、次のような作用効果を得ることができる。
（１）  ネジ３２による引寄部３０１、３０１の引寄せにより、締付部３０２、３０２による前記アンカー４の角部４１の締付けと、前記突張部３０５、３０５による前記ランナー２の自由端２０、２０への固定を同時に行うことができ、施工性を向上させることができる。
（２）  ネジ３２による引寄部３０１、３０１の引寄せには、バラつきが生じにくく、熟練等が不要であって、この点でも施工性を向上させることができる。
（３）  前記アンカー用固定金具３の一対の対称物の金具片からなる本体３０は、前記バネ３１により連結されているので、レール２に対する前記本体３０の固定やスライドを容易にしている。
【００２９】
以上のような構成のアンカー装置１、１Ａを用いて、建材を躯体に固定する固定方法について説明する。
【００３０】
施工現場に合わせて、ランナーレール２、２Ａを躯体１０に固定すると共に、アンカー４、４Ａをサッシ枠に取り付ける。ここで、ランナーレール２、２Ａを躯体１０に固定する工程と、アンカー４、４Ａをサッシ枠に取り付ける工程の後先は問われることはない。
そして、サッシ枠の各枠と各ランナーレールが出入り方向で対向した状態となるように、サッシ枠を室内側から躯体側に設置する。
【００３１】
サッシ枠の固定順としては、まず下枠６を躯体に固定し、次に上枠５及び左右たて枠の出入り方向を調節しつつ、躯体に固定する。
上述のように、上枠５又は左右たて枠を固定するためのランナーレール２は、各枠の長手方向に対して、平行ではなく所定の角度で斜めに固定する。
また、下枠６を固定するためのランナーレール２Ａは、躯体１０の出入り方向における傾斜に沿わせるように、且つ、複数のピース材を所定間隔で固定する。
【００３２】
前記アンカー用固定金具３の使用方法は、上下枠５、６及び左右たて枠において共通することから、上枠５の場合を例示する。
【００３３】
まず、前記ランナーレール２にアンカー用固定金具３を挿入する。
即ち、図８のように、前記レール２の自由端２０、２０に、アンカー用固定金具３の前後スライド部３０３、３０３、３０４、３０４を取り付ける。
この場合、前記レール２の端部から、その自由端２０、２０に沿ってアンカー用固定金具３をスライドさせてもよいし、本体３０を摘まんで開口幅Ｗ１を縮めて、前記自由端２０、２０に前後スライド部３０３、３０３、３０４、３０４を係止させてもよい。
次に、前記アンカー用固定金具３の突張部３０５、３０５のスペースＳで形成されている開口３０５Ａから、アンカー４の角部４１を挿入するように、アンカー用固定金具３をスライド移動させ、その角部４１を挟み込む。
その後、上枠５の位置を調整しつつ、アンカー用固定金具３の引寄部３０１、３０１をネジ３２により引寄せ、締付部３０２、３０２により角部４１を締め付け固定すると略同時に、アンカー用固定金具３の突張部３０５、３０５を開くようにして、前記レール２に突張らせる。その結果、前スライド部３０３、３０３の切欠が前記レール２の自由端２０、２０に噛み込まれ、強固に固定される。
なお、ねじ３２によって引寄部３０１、３０１を引き寄せる際、現場や作業の状況によって、ねじ３２の先端側の後スライド部３０４（図９において左側）がランナーレール２の自由端２０に当接したまま、ねじ３２の頭側の後スライド部３０４（図９において右側）のみが引き寄せられる場合もあるが、固定力が落ちることはない。
【００３４】
以上のような固定方法により、躯体１０にランナーレール２、２Ａが固定され、アンカー４が取り付けられたサッシ枠が固定されると共に、図９のように、前記アンカー用固定金具３の引寄部３０１、３０１が引き寄せられ、締付部３０２、３０２により前記アンカー４の角部４１が締付けられ、前記前スライド部３０３、３０３が前記レール２に突っ張られた状態で、サッシ枠が躯体に固定される固定構造となっている。
【００３５】
以上のように構成されるアンカー装置、このアンカー装置による躯体に対するサッシ枠の固定方法、同固定構造による作用効果を纏めると、次の通りである。
（４）  アンカー用固定金具により、無溶接でサッシ枠等の建材を躯体に取り付けることができ、火花を出さないため、サッシ枠を傷つけたり、完成品として出荷されるサッシ枠に既にセットされているガラスが破損することはない。
（５）  無溶接工法であることから、熟練を要せずに、施工することができ、熟練工の不足、欠員が生じる場合の施工の困難性が解消される。
（６）  事前の溶接機器の準備、電源の確保、消化器の準備は不要となり、また、作業中においても火花の養生が不要となり、躯体に建材を固定する場合の効率化が図られる。
（７）  施工場所の環境に左右されずに、施工することができる。
（８）  火花や煙が作業員に与える悪影響が問題とならず、電力を使うことがないため省エネ、ＣＯ２の削減等の環境問題にも適合する。
（９）  溶接後の検査による溶接焼け補修費の負担が生じるおれそがない。
【００３６】
本発明は以上説明した実施形態に限定されるものではなく、多くの変形が本発明の技術的思想内で当分野において、通常の知識を有する者により可能である。
例えば、アンカー用固定金具３は、ネジ３２の頭部が室内側を向いていれば、前後スライド部３０３、３０３、３０４、３０４を逆にランナーレール２、２Ａにスライドしてもよく、金具に勝手を設けてもよい。
また、皿板６０は皿板アンカー６Ａを介してランナーレール２Ａに固定してから、下枠にネジ止めしてもよい。
【００３７】
次に、前記皿板アンカー６Ａの変形例として、図１０乃至図１３に基づき、前記皿板６０と前記下枠６間に介在する皿板アンカー６Ｂの構成例を説明する。
この皿板アンカー６Ｂと前記皿板アンカー６Ａとの主な共通点は、共に皿板６０を躯体１０に無溶接で取り付けることができる点であり、両者の主な相違点は、皿板アンカー６Ｂが前記皿板６０と下枠６間に介在するが、一方、皿板アンカー６Ａは皿板６０とランナーレール２Ａ間に介在され、ランナーレール２Ａを介して躯体１０の開口部１０Ａに固定されている点である。
【００３８】
前記皿板アンカー６Ｂは、本体６１と、本体６１に皿板６０を取付ける皿板取付部６２と、本体６１を下枠６に取付ける下枠取付部６３から構成されている。
【００３９】
前記本体６１は、皿板６０の下面を支持するもので、そのための構成であればよく、後に詳述するように前方金具６４と後方金具６５に分割したり、分割せずに１つの金具で構成してもよい。
【００４０】
前記皿板取付部６２は、皿板６０の下面に形成された凸溝６０ａにスライドされるスライド片６７からなり、本体６１の室外側の端部に形成されている。        
【００４１】
前記下枠取付部６３は、本体６１の室内側の端部から上方に立上がる立上片６３ａと、その立上片６３ａに固定される固定金具（ブラケット）７からなる。
前記立上片６３ａは、前記本体６１の端部から略垂直方向に上方に延在すると共に、Ｌ字状の自由端６３ｂが室外側に臨むことで、図１１に図示のように水平方向の断面形状がＬ字状の立上片となっている。
この立上片６３ａの自由端６３ｂによって形成されるスライド面６３ｃに沿って、前記固定金具７が鉛直方向にスライド可能に構成されている。
前記スライド面６３ｃには室内外方向に、且つ、鉛直方向に複数の固定孔６３ｄが形成されている。
【００４２】
前記固定金具７は、図１０及び図１２に図示されているように、前記下枠６に差込まれる差込片７０と、前記立上片６３ａの固定孔６３ｄに対応するタップ孔７１を備えている。
前記差込片７０は、前記ブラケット７の上端に形成されるもので、その上端を分割して互い違いに室内側に折り曲げて、前記下枠６のヒレ部が差し込まれるようにしたものである。
前記タップ孔７１は、前記立上片６３ａの固定孔６３ｄと共に、前記ブラケット７の鉛直方向での位置を調整できるようにするものである。例えば前記立上片６３ａの固定孔６３ｄは、鉛直方向で２個に形成され、前記固定金具７のタップ孔７１は、前記鉛直方向に重なるように、３個に形成されているが、これらの個数に限定されるものでもなく、また固定孔６３ｄを長孔構成に変えるようにしてもよい。
前記ブラケット７のスライド調整は、前記下枠６の見付寸法に応じて、前記差込片７０の位置を最適な位置にセットできるようにするもので、例えば図１０の前記下枠６の見付寸法Ｈ１の場合には、前記ブラケット７を上方にスライドさせて前記最適位置を調整し、前記ブラケット７を前記立上片６３ａに固定する。
また図１３に図示される見付寸法Ｈ２の場合には、前記ブラケット７を下方にスライドさせてその最適位置を調整し、固定する。
これらの前記ブラケット７の鉛直方向での位置の調整及び固定は、室内側から行うことができる。
【００４３】
前記皿板アンカー６Ｂの本体６１を前方金具６４と後方金具６５に分割する場合には、図１４（Ａ）及び（Ｂ）に図示のように、前記前方金具６４は前記皿板取付部６２を備え、図１５（Ａ）乃至（Ｃ）の図示のように、前記後方金具６５は、前記下枠取付部６３を備えると共に、両金具６４、６５の重複部６６、６６がそれぞれ形成されている。
前記重複部６６、６６は、前方金具６４の室内側の端部と後方金具６５の室外側の端部をその室内外方向で重複させるもので、前記皿板６０の見込方向の出幅バリエーションに対応できるようにするものである。
【００４４】
例えば図１６（Ａ）のように、見込方向Ｍの出幅が最少の前記皿板６０を用いる場合には、同図（Ｂ）のように、前記皿板アンカー６Ｂの本体６１の室内外方向の幅が最少となるように、重複部６６、６６の位置を調整して、前記前方金具６４と前記後方金具６５をその位置の重複部６６、６６で固定する。
一方、同図（Ｃ）のように、前記皿板アンカー６Ｂの本体６１の室内外方向の幅が最大となるように、重複部６６、６６の位置を調整して、前記前方金具６４と前記後方金具６５をその位置の重複部６６、６６で固定する。
即ち、図１６（Ａ）のように、皿板６０の見込方向Ｍの出幅が最少と最大の範囲内で調整しえるようになっている。
【００４５】
前記前方金具６４の重複部６６には、２行２列の固定孔が、前記後方金具６５の重複部６６には、２行３列の固定孔が、それぞれ形成されているが、これらの個数に限定されるものでもなく、また一方の固定孔を長孔構成としてもよい。
なお、皿板６０の見込方向Ｍの出幅が工場出荷時点で判明していれば、重複部６６、６６の固定孔をリベット等で固定しておいてもよい。
【００４６】
前記下枠６は、上述の通り、前記ランナーレール２Ａと、このランナーレール２Ａに固定されるアンカー用固定金具３と、このアンカー用固定金具３に固定されるアンカー４Ａを介して無溶接で固定されているが、これに限定されるものではなく、従来技術のように溶接固定されているものでもよい。
【００４７】
次に、前記皿板アンカー６Ｂを用いて前記皿板６０を固定する固定方法について説明する。
予め前記皿板アンカー６Ｂの皿板取付部６２に前記皿板６０を取付ける。
「予め」とは、前記皿板６０及び皿板アンカー６Ｂを建設現場に搬入する前の、工場での出荷時点において、前記皿板アンカー６Ｂの皿板取付部６２に前記皿板６０を取付けることであるが、前記皿板６０及び皿板アンカー６Ｂを建設現場に搬入し、その時点で前記皿板アンカー６Ｂの皿板取付部６２に前記皿板６０を取付けることも含まれる。
なお、前記下枠６の見付寸法が工場出荷時点で判明していれば、その寸法に適合させる位置において、前記皿板アンカー６Ｂの立上片６３ａに前記ブラケット７を仮止（ネジを緩く締めておく等）しておく。
前記皿板アンカー６Ｂと前記皿板６０の取付は、皿板６０の長手方向（桁行方向）の寸法（例えば１８００ｍｍ）に合わせて、数か所（例えば５か所）で行う（以下、セット金具と称する）。
【００４８】
次に、セット金具を建設現場に搬入して、皿板６０を下枠６に固定することとなるが、その時点では下枠６を含めた上記サッシ枠は、躯体１０の開口部１０Ａに固定されていない。
【００４９】
セット金具の前記皿板６０と前記皿板アンカー６Ｂを前記下枠６にセットする。
即ち、前記皿板６０を前記下枠６に固定する前に、ブラケット７の差込片７０を前記下枠６に差込んで、前記皿板アンカー６Ｂと前記下枠６との取合位置Ｔ１での取合状態（納め状態）を確認し、前記皿板６０と前記下枠６との取合位置Ｔ２での取合状態（納め状態）の確認を行う（それぞれ図１０参照）。
【００５０】
次に、前記皿板６０を前記下枠６に固定する。
即ち、前記皿板アンカー６Ｂと前記下枠６との取合位置Ｔ１おいて、前記皿板アンカー６Ｂの固定金具７のネジ止め（仮止してある場合は本締め）を行い、前記皿板６０と前記下枠６との取合位置Ｔ２において、ネジ止めを行う。
そして、サッシ枠を、前記ランナーレール２等、アンカー用固定金具３及びアンカー４等を介して、或はそれら以外の装置により無溶接で、または溶接で躯体１０の開口部１０Ａに固定する。
【００５１】
以上のような固定方法において、前記下枠６の見付寸法等との調整及び前記固定金具７の固定は、作業員が室外側に身をのり出すことなく、室内において室内側から行うことができる。
かかるセット金具の固定方法は、前記下枠６の寸法に応じて画一的に前記皿板６０の長手寸法が設定される「単窓」の場合に有効な固定方法となっている。
【００５２】
次に、前記皿板６０と皿板アンカー６Ｂをセット金具にせずに、それぞれ建設現場に搬入して、躯体１０の開口部１０Ａにサッシ枠を固定して、サッシ枠の下枠６に皿板６０を固定した後に、その皿板６０に前記皿板アンカー６Ｂを取付け、さらにその皿板アンカー６Ｂを下枠６に固定する場合の固定方法を説明する。
この固定方法は、前記下枠６の寸法に応じて画一的に前記皿板６０の寸法が決定され難い（例えば、２窓分の長手寸法が必要となる）等の「連窓」等の場合に有効な固定方法となっている。
この固定方法は、現場において前記皿板６０を前記皿板アンカー６Ｂに固定することであり、その他は共通している。
即ち、躯体１０の開口部１０Ａに固定されたサッシ枠の下枠６の室外側（Ｔ２）に前記皿板６０を固定した後に皿板アンカー６Ｂを取付け、その皿板アンカー６Ｂを前記下枠６の室内側（Ｔ１）に固定する。
この場合、皿板６０の凸溝６０ａの長手方向に切欠部を設けて、皿板アンカー６Ｂの皿板取付部６２を挿入し、長手方向の任意位置に皿板アンカー６Ｂをスライドさせてから、固定金具７を下枠６に固定する。その際、固定金具７は、前記タップ孔７１に螺合するネジを緩く締めることで下枠取付部６３に仮止されており、差込片７０を下枠６のヒレ部に差し込んでから、下枠取付金具６３の室内側見付面（図１５（Ｃ）の面）からネジの本締め（ネジ止め）を行う。
よって、下枠６の見付寸法との調整及び固定は、室内側から行うことができる。
【００５３】
以上のように構成された前記皿板アンカー６Ｂを用いて前記皿板６０を前記下枠６に固定される固定構造は、図１０に図示されているように、次の通りである。
前記皿板アンカー６Ｂが前記皿板６０と前記下枠６間に介在すると共に、前記皿板アンカー６Ｂの前記皿板取付部６２により前記皿板６０が取付けられ、前記皿板アンカー６Ｂの前記下枠取付部６３を構成する固定金具７が室内側から固定されて、その固定金具７が前記下枠６に固定され、且つ、前記皿板６０が前記下枠６にネジ止めされている固定構造となっている。
【００５４】
かかる固定構造は、上記固定方法により構築される場合に、限定されることはなく、例えばセット金具の皿板６０と皿板アンカー６Ｂを下枠６にセットして、下枠の室外側（Ｔ２）に皿板６０を固定すると共に、前記差込片７０を下枠６のヒレ部に差し込んで、躯体１０の開口部１０Ａにサッシ枠を固定した後に、固定金具７のネジ止めによって皿板アンカー６Ｂを下枠６の室内側（Ｔ１）に固定する方法でも構成することができる。
【００５５】
上記各構成の前記皿板アンカー６Ｂ、これを用いた皿板６０の固定方法及び固定構造による皿板６０は、無溶接で固定されることから、上記（１）〜（９）に共通する作用効果を奏することに加え、次のように作用効果を奏する。
（１０）前記皿板アンカー６Ｂによれば、作業員がその身を室外側に乗り出すことなく、室内にいて室内側から前記固定金具７を下枠６に固定することができ、皿板６０の固定作業の容易性を図ることができる。
（１１）  前記皿板アンカー６Ｂは、前記皿板アンカー６Ａと異なり、ランナーレール２Ａを介して躯体１０の開口部１０Ａに固定することなく、前記皿板アンカー６Ｂが皿板６０と下枠６間に介在し、その下枠６に直接的に前記固定金具７が取付けられるので、作業性が向上している。
（１２）  皿板アンカー６Ｂが皿板６０と下枠６間に介在されてものであり、現場に搬入する前に、皿板６０と皿板アンカー６Ｂを工場の段階で組立てることにより、現場では皿板アンカー６Ｂを下枠６に固定すればよく、皿板６０の固定作業の容易性を図ることができる。
かかる構成は、「単窓」の下枠に皿板６０を固定する場合に有効である。
（１３）  躯体１０の開口部１０Ａに固定したサッシ枠の下枠６の室外側に皿板６０を固定した後に、皿板に皿板アンカー６Ｂを取付け、その皿板アンカー６Ｂを下枠６の室内側に固定することもできるので、現場の状況に応じて、皿板アンカー６Ｂの後付けを選択することができる。
かかる構成は、「連窓」の下枠に皿板６０を固定する場合に有効である。
（１４）  上記（１３）における皿板アンカー６Ｂと下枠６との固定作業は、全て室内側から行うことができる。特に固定金具７のネジ止めは、下枠取付金具６３の室内側見付面から行うことができるので、正面から目視しながらの作業が可能となり、皿板６０の固定作業の容易性を図ることができる。
【００５６】
皿板アンカー、これを用いた皿板の固定方法及び固定構造に係る本発明においても、以上説明した実施形態に限定されるものではなく、多くの変形が本発明の技術的思想内で当分野において、通常の知識を有する者により可能である。
【符号の説明】
【００５７】
１  １Ａ  アンカー装置
１０  躯体
１０Ａ  開口部
２  ２Ａ  ランナーレール
２０、２０  自由端                      ２１  傾斜部
３  アンカー用固定金具
３０  本体
３００、３００  取付部                  ３０１、３０１  引寄部
３０１Ａ  ３０１Ｂ  ネジ用の孔          ３０２、３０２  締付部
３０３、３０３  前スライド部            ３０４、３０４  後スライド部
３０５、３０５  突張部                  ３０５Ａ  開口
３０６、３０６  ラウンド部
３１  バネ
３１０  バネの先端                      ３１１〜３１４  バネ片
３１５  結合部
３２  ネジ
４  ４Ａ  アンカー                      ４０  アンカー本体
４１  角部                              ４２  爪部
４３  折曲部
５  上枠
６  下枠
６０  皿板
６０ａ  凸溝
６Ａ  ６Ｂ  皿板アンカー
６１  本体                              ６２  皿板取付部
６３  下枠取付部                        ６３ａ  立上片
６３ｂ  Ｌ字状の自由端                  ６３ｃ  スライド面
６３ｄ  固定孔
６４  前方金具
６５  後方金具
６６  ６６  重複部                      ６７  スライド片
７  固定金具（ブラケット）
７０  差込片                            ７１  タップ孔
Ｗ１  開口幅                            Ｗ２  幅
Ｈ１  Ｈ２  見付寸法
Ｍ  見込方向
【図１】
0006765173.tif 000002
【図２】
0006765173.tif 000003
【図３】
0006765173.tif 000004
【図４】
0006765173.tif 000005
【図５】
0006765173.tif 000006
【図６】
0006765173.tif 000007
【図７】
0006765173.tif 000008
【図８】
0006765173.tif 000009
【図９】
0006765173.tif 000010
【図１０】
0006765173.tif 000011
【図１１】
0006765173.tif 000012
【図１２】
0006765173.tif 000013
【図１３】
0006765173.tif 000014
【図１４】
0006765173.tif 000015
【図１５】
0006765173.tif 000016
【図１６】
0006765173.tif 000017